(57)【要約】【課題】底板の四隅、および、側板の両端縁下部が補強され、変形，破損が防止されるようにすることで、プラスチック製の折り畳みコンテナの耐久性を向上させる。【解決手段】四側辺を有する底板１と、該底板の対向辺に内側に傾倒し該底板上に重合可能なるように軸支した先倒側板３と、該底板の他方の対向辺に内側に傾倒し前記先倒側板上に重合可能なるように軸支した後倒側板７とからなる折り畳みコンテナであって、先倒側板を軸支している底板の対向辺の両端部に小起立リブ１７を延設し、先倒側板を起立させたときに該先倒側板の両端縁下部前面１８が該小起立リブの内面に相対し当接又は近接し得るようにした。【選択図】　図３
2004026264.tif 000002
【特許請求の範囲】
【請求項１】
四側辺を有する底板と、該底板の対向辺に内側に傾倒し該底板上に重合可能なるように軸支した先倒側板と、該底板の他方の対向辺に内側に傾倒し前記先倒側板上に重合可能なるように軸支した後倒側板とからなる折り畳みコンテナであって、先倒側板を軸支している底板の対向辺の両端部に小起立リブを延設し、先倒側板を起立させたときに該先倒側板の両端縁下部前面が該小起立リブの内面に相対し当接又は近接し得るようにしたことを特徴とする折り畳みコンテナ。
【発明の詳細な説明】
【０００１】
【発明の属する技術分野】
本発明は折り畳み可能なプラスチック製の物品収納用コンテナの構造に関するものである。
【０００２】
【従来の技術】
底板の四辺に側板が内側に傾倒し得るように軸支され、折り畳むことによって容積を縮小できるプラスチック製の物品収納用コンテナは、従来から特開２００２−１０４４０５号公報，特開２００２−１０４４０７号公報，特開２００２−２６９６号公報等により知られている。
【０００３】
【発明が解決しようとする課題】
ところで、上記折り畳みコンテナは、底板の四辺に側板を軸支するものであるので、従来のプラスチック製コンテナのような一体構造のものに比べ、底板の四隅が強度不足となるおそれがある。また、内容物による内側からの圧力により各側板の両端縁下部が外側に膨らむような状態で変形したり破損するおそれがあった。
【０００４】
そこで本発明は、このような変形，破損を防止し、この種の折り畳みコンテナの強度を向上させようとするものである。
【０００５】
【課題を解決するための手段】
そのために本発明の折り畳みコンテナは、四側辺を有する底板と、該底板の対向辺に内側に傾倒し該底板上に重合可能なるように軸支した先倒側板と、該底板の他方の対向辺に内側に傾倒し前記先倒側板上に重合可能なるように軸支した後倒側板とからなる折り畳みコンテナであって、先倒側板を軸支している底板の対向辺の両端部に小起立リブを延設し、先倒側板を起立させたときに該先倒側板の両端縁下部前面が該小起立リブの内面に相対し当接又は近接し得るようにしたことを特徴とする。
【０００６】
【発明の実施の形態】
次に図面に従い本発明の実施の形態を説明する。図１は本発明に係る折り畳みコンテナの斜視図、図２はそのＡ−Ａ線断面図、図３はそのＢ−Ｂ線断面図、図４はその折り畳み途中の斜視図、図５はそのＣ−Ｃ線断面図、図６はその折り畳み状態の斜視図、図７はその底板の斜視図である。プラスチックの射出成形によって一体に形成された底板１は、四側辺を有し、その一方の対向辺に軸受部２を形成し、該軸受部２に先倒側板３の下縁に突設した支軸４を回転自在に軸支することで、該先倒側板３を内側に傾倒し該底板上に重合可能なるように支持している。また該底板１の他方の対向辺には該先倒側板３の厚さ相当分の起立壁５を一体に形成し該起立壁の上縁に軸受部６を形成し、該軸受部６に後倒側板７の下縁に突設した支軸８を回転自在に軸支することで、該後倒側板７を内側に傾倒し前記先倒側板３上に重合可能なるように支持している。なお、底板１の下面には補強リブ９が格子状に形成されている。また、先倒側板３および後倒側板７は、夫々外面に補強リブ１０，１１を額縁状に形成することで積重時の荷重に耐える補強がされている。
【０００７】
また、先倒側板３の両端縁の上部外面に適宜間隔をおいて複数の爪片１２が突設され、また、後倒側板７の両端部には内側に鉤状に折れ曲がる係合リブ１３が一体に形成され、該係合リブに前記爪片１２が係合し得る係合孔１４が形成されている。また、１５は後倒側板７の両端部に前記係合リブ１３の内面に対向するような形態でコ字状スリット１６を形成することで形成され内側に楔状に突出する弾性爪片で、該弾性爪片１５は後倒側板７を起立させた後に先倒側板３を起立させる際に該先倒側板３の両端縁が該弾性爪片を外側に押圧し該先倒側板３を起立させたとき該弾性爪片が該先倒側板の両端縁に係合することで該先倒側板３および後倒側板７を起立状態に保持させるものである。
【０００８】
そして、先倒側板３を軸支している底板１の対向辺の両端部に小起立リブ１７を延設し、先倒側板３を起立させたときに該先倒側板３の両端縁下部前面１８が該小起立リブ１７の内面に相対し当接し得るようにしている。なお、該小起立リブ１７の内面に相対している該先倒側板３の両端縁下部前面１８は補強リブ１０の起立高を他部分よりも低く形成することで、該小起立リブ１７との衝突がさけられ該先倒側板３を起立できるようにしている。
【０００９】
このように構成した折り畳みコンテナでは、後倒側板７を起立させた後に先倒側板３を起立させれば、該先倒側板３の両端縁が弾性爪片１５を自然と外側に押圧し該弾性爪片が該先倒側板の両端縁に係合することから、ワンタッチで簡単に組み立てられる。
【００１０】
そして、組み立て状態にて小起立リブ１７の内面に先倒側板３の両端縁下部前面が相対することから、内容物の圧力により該先倒側板３の両端縁下部が外側に押圧されても該両端縁下部は該小起立リブ１７の内面に当接して支えられその押圧力に耐えられるようになるので、該両端縁下部が外側に膨らむような変形を起こすおそれはなく強度が大幅に向上する。また、該小起立リブ１７は、底板１の起立壁５の両端部にも位置しているので該起立壁５の基部を補強することともなる。
【００１１】
なお、後倒側板７を内側に傾倒させたとき該後倒側板の両端縁下部内面１９が該小起立リブ１７に衝突するのを避けるために該両端縁下部内面１９はこの実施形態では図示したように凹窪状に形成している。このように衝突を避けることによって、後倒側板７を隙間なく先倒側板３上に重合させることができるので、小起立リブ１７を形成したことが折り畳み状態における高さの縮小率を悪化させることもない。このため小起立リブ１７をこの実施形態に示したよりもさらに大きめに形成することで更に強度を向上させることもできる。
【００１２】
【発明の効果】
このように本発明の折り畳みコンテナは、四側辺を有する底板と、該底板の対向辺に内側に傾倒し該底板上に重合可能なるように軸支した先倒側板と、該底板の他方の対向辺に内側に傾倒し前記先倒側板上に重合可能なるように軸支した後倒側板とからなる折り畳みコンテナであって、先倒側板を軸支している底板の対向辺の両端部に小起立リブを延設し、先倒側板を起立させたときに該先倒側板の両端縁下部前面が該小起立リブの内面に相対し当接又は近接し得るようにしたので、底板の四隅、および先倒側板の両端縁下部が補強され、変形，破損が防止されるので、この種の折り畳みコンテナの耐久性を向上させる顕著な効果がある。
【図面の簡単な説明】
【図１】本発明に係る折り畳みコンテナの実施形態を示す斜視図。
【図２】図１の折り畳みコンテナのＡ−Ａ線断面図。
【図３】図１の折り畳みコンテナのＢ−Ｂ線断面図。
【図４】図１の折り畳みコンテナの折り畳み途中の斜視図。
【図５】図４の折り畳みコンテナのＣ−Ｃ線断面図。
【図６】図１の折り畳みコンテナの折り畳み状態の斜視図。
【図７】本発明に係る折り畳みコンテナの実施形態を示す底板の斜視図。
【符号の説明】
１　　底板
２　　軸受部
３　　先倒側板
４　　支軸
５　　起立壁
６　　軸受部
７　　後倒側板
８　　支軸
１２　爪片
１３　係合リブ
１４　係合孔
１５　弾性爪片
１７　小起立リブ
１８　両端縁下部前面
【図１】
2004026264.tif 000003
【図２】
2004026264.tif 000004
【図３】
2004026264.tif 000005
【図４】
2004026264.tif 000006
【図５】
2004026264.tif 000007
【図６】
2004026264.tif 000008
【図７】
2004026264.tif 000009